(57)【特許請求の範囲】
【請求項１】
Ｂｌｕｅｔｏｏｔｈ（登録商標）送受信器と、
Ｂｌｕｅｔｏｏｔｈ代替媒体アクセス制御／物理レイヤ（ＡＭＰ）リンクをサポートするためのプロトコル適合レイヤ（ＰＡＬ）を含むワイヤレスローカルエリアネットワーク（ＷＬＡＮ）送受信器と、
前記ＰＡＬを介して前記ＷＬＡＮ送受信器と通信するためのＢｌｕｅｔｏｏｔｈホストと、
前記ＷＬＡＮ送受信器のＷＬＡＮ動作ステータスに関する情報を前記Ｂｌｕｅｔｏｏｔｈホストに送るためのレポータとを備え、ここにおいて、前記Ｂｌｕｅｔｏｏｔｈホストは、前記動作ステータス情報からＡＭＰリンク容量を決定し、前記決定されたＡＭＰリンク容量に少なくとも部分的に基づいてＡＭＰリンクの動作を調整する、
ワイヤレス通信デバイス。
【請求項２】
前記動作ステータス情報は、前記レポータにより前記Ｂｌｕｅｔｏｏｔｈホストに送られるＡＭＰ＿Ｓｔａｔｕｓ＿Ｃｈａｎｇｅメッセージを備える、請求項１に記載のデバイス。
【請求項３】
前記ＡＭＰ＿Ｓｔａｔｕｓ＿Ｃｈａｎｇｅメッセージは、前記ＷＬＡＮ送受信器がＡＭＰ容量を有していないことを示す第１の値を有しており、ここにおいて、前記Ｂｌｕｅｔｏｏｔｈホストが前記ＡＭＰ＿Ｓｔａｔｕｓ＿Ｃｈａｎｇｅメッセージを受信すると、前記ＡＭＰリンクの接続を解除する、請求項２に記載のデバイス。
【請求項４】
前記Ｂｌｕｅｔｏｏｔｈホストは、前記ＡＭＰリンクの接続が解除された後、Ｂｌｕｅｔｏｏｔｈトラフィックを前記Ｂｌｕｅｔｏｏｔｈ送受信器にさらに経路指定する、請求項３に記載のデバイス。
【請求項５】
前記ＡＭＰ＿Ｓｔａｔｕｓ＿Ｃｈａｎｇｅメッセージは、前記ＷＬＡＮ送受信器が中間のＡＭＰ容量を有することを示す第２の値を有しており、ここにおいて、前記Ｂｌｕｅｔｏｏｔｈホストは前記ＡＭＰ＿Ｓｔａｔｕｓ＿Ｃｈａｎｇｅメッセージを受信すると、前記ＷＬＡＮ送受信器により使用されているチャネルを介して前記ＡＭＰリンクを確立する、請求項２に記載のデバイス。
【請求項６】
前記レポータはさらに、
前記ＷＬＡＮ送受信器に対して間もなく生ずるチャネル切換えに基づき、前記第１の値を有する第１のＡＭＰ＿Ｓｔａｔｕｓ＿Ｃｈａｎｇｅメッセージを送り、また
前記ＷＬＡＮ送受信器が新しいチャネルに切り換わったとき、第２の値を有する第２のＡＭＰ＿Ｓｔａｔｕｓ＿Ｃｈａｎｇｅメッセージを送り、
前記第２の値は、前記ＷＬＡＮ送受信器が中間のＡＭＰ容量を有することを示しており、また
前記Ｂｌｕｅｔｏｏｔｈホストは、前記第２のＡＭＰ＿Ｓｔａｔｕｓ＿Ｃｈａｎｇｅメッセージを受信すると、前記新しいチャネルを介してＡＭＰリンクを確立する、請求項３に記載のデバイス。
【請求項７】
前記ＡＭＰ＿Ｓｔａｔｕｓ＿Ｃｈａｎｇｅメッセージは、前記ＷＬＡＮ送受信器が高いＡＭＰ容量を有することを示す第３の値を有しており、ここにおいて、前記Ｂｌｕｅｔｏｏｔｈホストが前記ＡＭＰ＿Ｓｔａｔｕｓ＿Ｃｈａｎｇｅメッセージを受信すると、前記ＡＭＰリンクを確立する、請求項２に記載のデバイス。
【請求項８】
前記ＡＭＰ＿Ｓｔａｔｕｓ＿Ｃｈａｎｇｅメッセージは、前記ＷＬＡＮ送受信器が事前に定義されたＡＭＰ容量を有することを示す第４の値を有しており、ここにおいて、前記Ｂｌｕｅｔｏｏｔｈホストは、前記ＡＭＰ＿Ｓｔａｔｕｓ＿Ｃｈａｎｇｅメッセージを受信すると、前記ＡＭＰリンクを調整する、請求項２に記載のデバイス。
【請求項９】
Ｂｌｕｅｔｏｏｔｈおよびワイヤレスローカルエリアネットワーク（ＷＬＡＮ）機能を有するデバイスにおけるワイヤレス通信のための方法であって、
前記デバイスのＷＬＡＮ送受信器の動作ステータスに関する情報を決定することと、
前記情報を、前記ＷＬＡＮ送受信器のプロトコル適合レイヤ（ＰＡＬ）を介して前記デバイスのＢｌｕｅｔｏｏｔｈホストに報告することと、
前記動作ステータスの情報からＡＭＰリンク容量を決定することと、
前記決定されたＡＭＰリンク容量に少なくとも部分的に基づいて、Ｂｌｕｅｔｏｏｔｈ代替媒体アクセス制御／物理レイヤ（ＡＭＰ）リンクの動作を調整することと
を備える方法。
【請求項１０】
前記動作ステータスの情報は、前記Ｂｌｕｅｔｏｏｔｈホストに送られるＡＭＰ＿Ｓｔａｔｕｓ＿Ｃｈａｎｇｅメッセージを備える、請求項９に記載の方法。
【請求項１１】
前記ＡＭＰ＿Ｓｔａｔｕｓ＿Ｃｈａｎｇｅメッセージが第１の値を有し、ここにおいて、前記第１の値は、前記ＷＬＡＮ送受信器がＡＭＰ容量を有しないことを示しており、またここにおいて、前記ＡＭＰリンクを動作させることは、前記ＡＭＰリンクの接続を解除することを備える、請求項１０に記載の方法。
【請求項１２】
前記ＡＭＰリンクの接続が解除された後、Ｂｌｕｅｔｏｏｔｈトラフィックを前記デバイスのＢｌｕｅｔｏｏｔｈ送受信器に経路指定することをさらに備える、請求項１１に記載の方法。
【請求項１３】
前記ＡＭＰ＿Ｓｔａｔｕｓ＿Ｃｈａｎｇｅメッセージは第２の値を有し、ここにおいて、前記第２の値は、前記ＷＬＡＮ送受信器が中間のＡＭＰ容量を有することを示しており、またここにおいて、前記ＡＭＰリンクを動作させることは、前記ＷＬＡＮ送受信器により使用されているチャネルを介して前記ＡＭＰリンクを確立することを備える、請求項１０に記載の方法。
【請求項１４】
前記第１の値を有する前記第１のＡＭＰ＿Ｓｔａｔｕｓ＿Ｃｈａｎｇｅメッセージは、前記ＷＬＡＮ送受信器に対して間もなく生ずるチャネル切換えに基づいて報告され、
前記ＷＬＡＮ送受信器が新しいチャネルに切り換わったとき、第２の値を有する第２のＡＭＰ＿Ｓｔａｔｕｓ＿Ｃｈａｎｇｅメッセージを報告することと、ここにおいて、前記第２の値は、前記ＷＬＡＮ送受信器が、中間のＡＭＰ容量を有することを示している、および
前記新しいチャネルを介してＡＭＰリンクを確立することと
をさらに備える、請求項１１に記載の方法。
【請求項１５】
前記ＡＭＰ＿Ｓｔａｔｕｓ＿Ｃｈａｎｇｅメッセージは第３の値を有し、ここにおいて、前記第３の値は、前記ＷＬＡＮ送受信器が高いＡＭＰ容量を有することを示しており、またここにおいて、前記ＡＭＰを動作させることは、ＡＭＰリンクを確立することを備える、請求項１０に記載の方法。
【請求項１６】
前記ＡＭＰ＿Ｓｔａｔｕｓ＿Ｃｈａｎｇｅメッセージは第４の値を有し、ここにおいて、前記第４の値は、前記ＷＬＡＮ送受信器が事前に定義されたＡＭＰ容量を有することを示しており、またここにおいて、前記ＡＭＰリンクを動作させることは、前記ＡＭＰリンクを調整することを備える、請求項１０に記載の方法。
【請求項１７】
Ｂｌｕｅｔｏｏｔｈおよびワイヤレスローカルエリアネットワーク（ＷＬＡＮ）機能を有するワイヤレス通信デバイスを動作させるための非一時的なプロセッサ可読記憶媒体であって、前記プロセッサ可読記憶媒体がその上に命令を有し、前記命令が、
前記デバイスのＷＬＡＮ送受信器の動作ステータスに関する情報を決定するためのコードと、
前記情報を、前記ＷＬＡＮ送受信器のプロトコル適合レイヤ（ＰＡＬ）を介して前記デバイスのＢｌｕｅｔｏｏｔｈホストに報告するためのコードと、
前記動作ステータスの情報からＡＭＰリンク容量を決定するためのコードと、
前記決定されたＡＭＰリンク容量に少なくとも部分的に基づいて、Ｂｌｕｅｔｏｏｔｈ代替媒体アクセス制御／物理レイヤ（ＡＭＰ）リンクの動作を調整するためのコードと
を備える、非一時的なプロセッサ可読記憶媒体。
【請求項１８】
前記動作ステータスの情報は、前記Ｂｌｕｅｔｏｏｔｈホストに送られるＡＭＰ＿Ｓｔａｔｕｓ＿Ｃｈａｎｇｅメッセージを備える、請求項１７に記載の記憶媒体。
【請求項１９】
前記ＡＭＰ＿Ｓｔａｔｕｓ＿Ｃｈａｎｇｅメッセージは第１の値を有し、ここにおいて、前記第１の値は、前記ＷＬＡＮ送受信器がＡＭＰ容量を有しないことを示しており、またここにおいて、前記ＡＭＰリンクを動作させるための前記コードは、前記ＡＭＰリンクの接続を解除するためのコードを備える、請求項１８に記載の記憶媒体。
【請求項２０】
前記ＡＭＰリンクの接続が解除された後、Ｂｌｕｅｔｏｏｔｈトラフィックを前記デバイスのＢｌｕｅｔｏｏｔｈ送受信器に経路指定するためのコードをさらに備える、請求項１９に記載の記憶媒体。
【請求項２１】
前記ＡＭＰ＿Ｓｔａｔｕｓ＿Ｃｈａｎｇｅメッセージは第２の値を有し、ここにおいて、前記第２の値は、前記ＷＬＡＮ送受信器が中間のＡＭＰ容量を有することを示しており、またここにおいて、前記ＡＭＰリンクを動作させるための前記コードは、前記ＷＬＡＮ送受信器により使用されているチャネルを介して前記ＡＭＰリンクを確立するためのコードを備える、請求項１８に記載の記憶媒体。
【請求項２２】
前記第１の値を有する前記第１のＡＭＰ＿Ｓｔａｔｕｓ＿Ｃｈａｎｇｅメッセージは、前記ＷＬＡＮ送受信器に対して間もなく生ずるチャネル切換えに基づいて報告され、
前記ＷＬＡＮ送受信器が新しいチャネルに切り換わったとき、第２の値を有する第２のＡＭＰ＿Ｓｔａｔｕｓ＿Ｃｈａｎｇｅメッセージを報告するためのコードと、ここにおいて、前記第２の値は、前記ＷＬＡＮ送受信器が、中間のＡＭＰ容量を有することを示し、
前記新しいチャネルを介してＡＭＰリンクを確立するためのコードと
をさらに備える、請求項１９に記載の記憶媒体。
【請求項２３】
前記ＡＭＰ＿Ｓｔａｔｕｓ＿Ｃｈａｎｇｅメッセージは第３の値を有し、ここにおいて、前記第３の値は、前記ＷＬＡＮ送受信器が高いＡＭＰ容量を有することを示しており、またここにおいて、前記ＡＭＰを動作させるための前記コードは、ＡＭＰリンクを確立するためのコードを備える、請求項１８に記載の記憶媒体。
【請求項２４】
前記ＡＭＰ＿Ｓｔａｔｕｓ＿Ｃｈａｎｇｅメッセージが第４の値を有し、ここにおいて、前記第４の値は、前記ＷＬＡＮ送受信器が事前に定義されたＡＭＰ容量を有することを示しており、またここにおいて、前記ＡＭＰリンクを動作させるための前記コードが、前記ＡＭＰリンクを調整するためのコードを備える、請求項１８に記載の記憶媒体。
【請求項２５】
ワイヤレス通信デバイスであって、
Ｂｌｕｅｔｏｏｔｈ送受信器と、
Ｂｌｕｅｔｏｏｔｈ代替媒体アクセス制御／物理レイヤ（ＡＭＰ）リンクをサポートするためのプロトコル適合レイヤ（ＰＡＬ）を含むワイヤレスローカルエリアネットワーク（ＷＬＡＮ）送受信器と、
前記ＰＡＬを介して前記ＷＬＡＮ送受信器と通信する、ＡＭＰリンクを動作させるための手段と、
前記ＷＬＡＮ送受信器のＷＬＡＮ動作ステータスに関する情報を、前記ＡＭＰリンクを動作させるための前記手段に報告するための手段と、
前記動作ステータスの情報からＡＭＰリンク容量を決定するための手段とを備え、
ここにおいて、前記ＡＭＰリンクを動作させるための前記手段は、前記決定されたＡＭＰリンク容量に少なくとも部分的に基づいて前記ＡＭＰリンクの動作を調整する、
ワイヤレス通信デバイス。
【請求項２６】
前記動作ステータス情報は、情報を報告するための前記手段により前記ＡＭＰリンクを動作させるための前記手段に送られるＡＭＰ＿Ｓｔａｔｕｓ＿Ｃｈａｎｇｅメッセージを備える、請求項２５に記載のデバイス。
【請求項２７】
前記ＡＭＰ＿Ｓｔａｔｕｓ＿Ｃｈａｎｇｅメッセージは、前記ＷＬＡＮ送受信器がＡＭＰ容量を有していないことを示す第１の値を有しており、ここにおいて、前記ＡＭＰリンクを動作させるための前記手段は、前記ＡＭＰ＿Ｓｔａｔｕｓ＿Ｃｈａｎｇｅメッセージを受信すると、前記ＡＭＰリンクの接続を解除する、請求項２６に記載のデバイス。
【請求項２８】
前記ＡＭＰリンクを動作させるための前記手段が、前記ＡＭＰリンクの接続が解除された後、Ｂｌｕｅｔｏｏｔｈトラフィックを前記Ｂｌｕｅｔｏｏｔｈ送受信器にさらに経路指定する、請求項２７に記載のデバイス。
【請求項２９】
前記ＡＭＰ＿Ｓｔａｔｕｓ＿Ｃｈａｎｇｅメッセージは、前記ＷＬＡＮ送受信器が中間のＡＭＰ容量を有することを示す第２の値を有しており、ここにおいて、前記ＡＭＰリンクを動作させるための前記手段は、前記ＡＭＰ＿Ｓｔａｔｕｓ＿Ｃｈａｎｇｅメッセージを受信すると、前記ＷＬＡＮ送受信器により使用されているチャネルを介して前記ＡＭＰリンクを確立する、請求項２６に記載のデバイス。
【請求項３０】
情報を報告するための前記手段がさらに、
前記ＷＬＡＮ送受信器に対して間もなく生ずるチャネル切換えに基づき、前記第１の値を有する第１のＡＭＰ＿Ｓｔａｔｕｓ＿Ｃｈａｎｇｅメッセージを送り、また
前記ＷＬＡＮ送受信器が新しいチャネルに切り換わったとき、第２の値を有する第２のＡＭＰ＿Ｓｔａｔｕｓ＿Ｃｈａｎｇｅメッセージを送り、前記第２の値は、前記ＷＬＡＮ送受信器が中間のＡＭＰ容量を有することを示しており、また
前記ＡＭＰリンクを動作させるための前記手段は、前記第２のＡＭＰ＿Ｓｔａｔｕｓ＿Ｃｈａｎｇｅメッセージを受信すると、前記新しいチャネルを介してＡＭＰリンクを確立する、請求項２７に記載のデバイス。
【請求項３１】
前記ＡＭＰ＿Ｓｔａｔｕｓ＿Ｃｈａｎｇｅメッセージは、前記ＷＬＡＮ送受信器が高いＡＭＰ容量を有することを示す第３の値を有しており、ここにおいて、前記ＡＭＰリンクを動作させるための前記手段が、前記ＡＭＰ＿Ｓｔａｔｕｓ＿Ｃｈａｎｇｅメッセージを受信すると、前記ＡＭＰリンクを確立する、請求項２６に記載のデバイス。
【請求項３２】
前記ＡＭＰ＿Ｓｔａｔｕｓ＿Ｃｈａｎｇｅメッセージは、前記ＷＬＡＮ送受信器が事前に定義されたＡＭＰ容量を有することを示す第４の値を有しており、ここにおいて、前記前記ＡＭＰリンクを動作させるための前記手段は、前記ＡＭＰ＿Ｓｔａｔｕｓ＿Ｃｈａｎｇｅメッセージを受信すると、前記ＡＭＰリンクを調整する、請求項２６に記載のデバイス。
【発明の詳細な説明】
【技術分野】
【０００１】
関連出願
[001]本出願は、本出願の譲受人に譲渡され、その全体が参照により本明細書に組み込まれる「Ｓｙｓｔｅｍｓ  Ａｎｄ  Ｍｅｔｈｏｄｓ  Ｆｏｒ  ＢＴ  ＡＭＰ  ａｎｄ  ＷＬＡＮ  Ｃｏｎｃｕｒｒｅｎｃｙ」と題する２０１３年２月１４日に出願された米国特許出願第１３／７６７，８０５号の利益と優先権とを主張する。
【０００２】
[002]本開示は、一般に、ワイヤレス通信システムに関し、より詳細には、マルチプル（multiple）のワイヤレスプロトコル間の共存を管理するためのシステムおよび方法に関する。
【背景技術】
【０００３】
[003]ワイヤレス技術を使用するデバイスの最近の普及は、複数のワイヤレス通信システムを特徴とするデバイスの可用性を増加させている。ＢＬＵＥＴＯＯＴＨ（登録商標）（Ｂｌｕｅｔｏｏｔｈ（登録商標））は、比較的短い距離を介して、モバイル電話、コンピュータ、デジタルカメラ、ワイヤレスヘッドセット、スピーカ、キーボード、マウスもしくは他の入力周辺装置、および同様のデバイスの間で接続し、情報を交換するためにしばしば使用される。Ｂｌｕｅｔｏｏｔｈは、高い相互運用性と、電力効率を含むいくつかの利点を提供するが、他のワイヤレス通信システムと比較して、低いデータ転送レートを示し得る。たとえば、電気電子技術協会（ＩＥＥＥ）により公表された規格の８０２．１１ファミリーに準拠するものなど、ワイヤレスローカルエリアネットワーク（ＷＬＡＮ）は、比較的長距離を介して比較的高いデータレートを提供し、既存のネットワーク基盤への容易なインターフェースを提供し得る。したがって、ＢｌｕｅｔｏｏｔｈおよびＷＬＡＮ技術の属性を共用するシステムを用いて、デバイス間でワイヤレス通信を提供することが望ましいことがある。
【０００４】
[004]この目標を達成するのを助けるために、Ｂｌｕｅｔｏｏｔｈ３．０仕様の高速拡張は、従来のＢｌｕｅｔｏｏｔｈリンクを有するＷＬＡＮ機能を有する２つのデバイスに、そのそれぞれのＷＬＡＮ送受信器を用いてさらなる通信リンクを確立できるようにする。特に、Ｂｌｕｅｔｏｏｔｈ情報のパケットは、送信および受信のために各ＷＬＡＮ送受信器の媒体アクセス制御（ＭＡＣ）レイヤおよび物理（ＰＨＹ）レイヤを介して経路指定され得る。したがって、このタイプの通信は、Ｂｌｕｅｔｏｏｔｈ代替ＭＡＣ／ＰＨＹ（ＡＭＰ：Alternate MAC/PHY）リンクと称され、Ｂｌｕｅｔｏｏｔｈシステムが、ＷＬＡＮプロトコルに関連する増加したレートで、情報転送を選択的に提供できるようにする。
【０００５】
[005]これらの利点にかかわらず、ＷＬＡＮ通信とＢｌｕｅｔｏｏｔｈ通信の両方に同じ送受信器を使用することは、並行処理の問題を生じ得る。たとえば、通常の動作において、ＷＬＡＮは、チャネルまたは周波数を変更し得るスキャンおよびローミングプロシージャを行う。所与のチャネル上にアクティブなＡＭＰリンクがある場合、ＷＬＡＮ接続が、現在のチャネルからローミングして離れると直ちに、並行処理オペレーションを行うことができなくなる場合がある。したがって、ＷＬＡＮおよびＡＭＰリンクの動作を調整するためのシステムおよび方法を提供することが望ましいはずである。本開示は、これらの、および他の必要性を満たしている。
【発明の概要】
【０００６】
[006]本開示は、ワイヤレス通信のためのシステムを含み、またＢｌｕｅｔｏｏｔｈ送受信器と、Ｂｌｕｅｔｏｏｔｈ代替媒体アクセス制御／物理レイヤ（ＡＭＰ）リンクをサポートするためのプロトコル適合レイヤ（ＰＡＬ）を有するワイヤレスローカルエリアネットワーク（ＷＬＡＮ）送受信器と、ＰＡＬを介してＷＬＡＮ送受信器と通信するためのＢｌｕｅｔｏｏｔｈホストと、ＷＬＡＮ送受信器のＷＬＡＮ動作ステータスに関する情報をＢｌｕｅｔｏｏｔｈホストに送り得るレポータとを備えるワイヤレス通信デバイスを含むことができ、したがって、Ｂｌｕｅｔｏｏｔｈホストは、動作ステータス情報に基づいてＡＭＰリンクを動作し得る。動作ステータス情報は、レポータによりＢｌｕｅｔｏｏｔｈホストに送られるＡＭＰ＿Ｓｔａｔｕｓ＿Ｃｈａｎｇｅメッセージとなり得る。
【０００７】
[007]一態様では、ＡＭＰ＿Ｓｔａｔｕｓ＿Ｃｈａｎｇｅメッセージは、ＷＬＡＮ送受信器がＡＭＰ容量を有していないことを示し得る、第１の値を有し得、またＢｌｕｅｔｏｏｔｈホストは、そのＡＭＰ＿Ｓｔａｔｕｓ＿Ｃｈａｎｇｅメッセージを受信すると、ＡＭＰリンクの接続を解除し得る。さらにＢｌｕｅｔｏｏｔｈホストは、ＡＭＰリンクの接続が解除された後、ＢｌｕｅｔｏｏｔｈトラフィックをＢｌｕｅｔｏｏｔｈ送受信器に経路指定し得る。
【０００８】
[008]他の態様では、ＡＭＰ＿Ｓｔａｔｕｓ＿Ｃｈａｎｇｅメッセージは、ＷＬＡＮ送受信器が中間のＡＭＰ容量を有することを示し得る、第２の値を有し得、またＢｌｕｅｔｏｏｔｈホストは、ＡＭＰ＿Ｓｔａｔｕｓ＿Ｃｈａｎｇｅメッセージを受信すると、ＷＬＡＮ送受信器により使用されているチャネルを介してＡＭＰリンクを確立し得る。
【０００９】
[009]さらにレポータは、ＷＬＡＮ送受信器に対して間もなく生ずるチャネル切換えに基づき、第１の値を有する第１のＡＭＰ＿Ｓｔａｔｕｓ＿Ｃｈａｎｇｅメッセージを送ることができ、またＷＬＡＮ送受信器が、新しいチャネルに切り換わったとき、第２の値を有する第２のＡＭＰ＿Ｓｔａｔｕｓ＿Ｃｈａｎｇｅメッセージを送ることができ、第２の値は、ＷＬＡＮ送受信器が中間のＡＭＰ容量を有することを示すことができ、またＢｌｕｅｔｏｏｔｈホストは、第２のＡＭＰ＿Ｓｔａｔｕｓ＿Ｃｈａｎｇｅメッセージを受信すると、新しいチャネルを介してＡＭＰリンクを確立し得る。
【００１０】
[0010]他の態様では、ＡＭＰ＿Ｓｔａｔｕｓ＿Ｃｈａｎｇｅメッセージは、ＷＬＡＮ送受信器が高いＡＭＰ容量を有することを示し得る、第３の値を有することができ、Ｂｌｕｅｔｏｏｔｈホストは、ＡＭＰ＿Ｓｔａｔｕｓ＿Ｃｈａｎｇｅメッセージを受信すると、ＡＭＰリンクを確立し得る。
【００１１】
[0011]さらに他の態様では、ＡＭＰ＿Ｓｔａｔｕｓ＿Ｃｈａｎｇｅメッセージは、ＷＬＡＮ送受信器が事前に定義されたＡＭＰ容量を有することを示し得る、第４の値を有し得、Ｂｌｕｅｔｏｏｔｈホストは、ＡＭＰ＿Ｓｔａｔｕｓ＿Ｃｈａｎｇｅメッセージを受信すると、ＡＭＰリンクを調整し得る。
【００１２】
[0012]本開示はまた、ＢｌｕｅｔｏｏｔｈおよびＷＬＡＮ機能を有するデバイスを使用するワイヤレス通信のための方法を含む。一態様では、適切な方法は、デバイスのＷＬＡＮ送受信器の動作ステータスに関する情報を決定するステップと、情報を、ＷＬＡＮ送受信器のＰＡＬを介してデバイスのＢｌｕｅｔｏｏｔｈホストに報告するステップと、情報に基づいて、ＢｌｕｅｔｏｏｔｈＡＭＰリンクを動作させるステップとを含み得る。動作ステータス情報は、レポータによりＢｌｕｅｔｏｏｔｈホストに送られるＡＭＰ＿Ｓｔａｔｕｓ＿Ｃｈａｎｇｅメッセージとされ得る。
【００１３】
[0013]一態様では、ＡＭＰ＿Ｓｔａｔｕｓ＿Ｃｈａｎｇｅメッセージは、ＷＬＡＮ送受信器がＡＭＰ容量を有しないことを示し得る、第１の値を有し得、またＡＭＰリンクを動作させることは、ＡＭＰリンクの接続を解除することを含み得る。さらにＢｌｕｅｔｏｏｔｈトラフィックは、ＡＭＰリンクの接続が解除された後、Ｂｌｕｅｔｏｏｔｈ送受信器に経路指定され得る。
【００１４】
[0014]他の態様では、ＡＭＰ＿Ｓｔａｔｕｓ＿Ｃｈａｎｇｅメッセージは、ＷＬＡＮ送受信器が中間のＡＭＰ容量を有することを示し得る、第２の値を有し得、またＡＭＰリンクを動作させることは、ＷＬＡＮ送受信器により使用されているチャネルを介してＡＭＰリンクを確立することを含み得る。
【００１５】
[0015]さらに第１の値を有する第１のＡＭＰ＿Ｓｔａｔｕｓ＿Ｃｈａｎｇｅメッセージは、ＷＬＡＮ送受信器に対して間もなく生ずるチャネル切換えに基づいて報告され、またＷＬＡＮ送受信器が、新しいチャネルに切り換わったとき、第２の値を有する第２のＡＭＰ＿Ｓｔａｔｕｓ＿Ｃｈａｎｇｅメッセージが報告され得るが、第２の値は、ＷＬＡＮ送受信器が中間のＡＭＰ容量を有することを示し得、またＡＭＰリンクを動作させることは、新しいチャネルを介してＡＭＰリンクを確立することを含み得る。
【００１６】
[0016]他の態様では、ＡＭＰ＿Ｓｔａｔｕｓ＿Ｃｈａｎｇｅメッセージは、ＷＬＡＮ送受信器が高いＡＭＰ容量を有することを示し得る、第３の値を有し得、ＡＭＰリンクを動作させることは、ＡＭＰリンクを確立することを含み得る。
【００１７】
[0017]さらに他の態様では、ＡＭＰ＿Ｓｔａｔｕｓ＿Ｃｈａｎｇｅメッセージは、ＷＬＡＮ送受信器が事前に定義されたＡＭＰ容量を有することを示し得る、第４の値を有し得、またＡＭＰリンクを動作させることは、ＡＭＰリンクを調整することを含み得る。
【００１８】
[0018]本開示はまた、ＢｌｕｅｔｏｏｔｈおよびＷＬＡＮ機能を有するワイヤレス通信デバイスを動作させるための非一時的なプロセッサ可読記憶媒体を含み、プロセッサ可読記憶媒体は、デバイスのＷＬＡＮ送受信器の動作ステータスに関する情報を決定するためのコードと、ＷＬＡＮ送受信器のＰＡＬを介してデバイスのＢｌｕｅｔｏｏｔｈホストに情報を報告するためのコードと、情報に基づいてＢｌｕｅｔｏｏｔｈＡＭＰリンクを動作させるためのコードとを含む命令を有し得る。動作ステータス情報は、レポータによりＢｌｕｅｔｏｏｔｈホストに送られるＡＭＰ＿Ｓｔａｔｕｓ＿Ｃｈａｎｇｅメッセージとされ得る。
【００１９】
[0019]一態様では、ＡＭＰ＿Ｓｔａｔｕｓ＿Ｃｈａｎｇｅメッセージは、ＷＬＡＮ送受信器がＡＭＰ容量を有していないことを示し得る、第１の値を有し得、またＡＭＰリンクを動作させるためのコードは、ＡＭＰリンクの接続を解除するためのコードを含み得る。さらに記憶媒体は、ＡＭＰリンクの接続が解除された後、Ｂｌｕｅｔｏｏｔｈ送受信器を介するＢｌｕｅｔｏｏｔｈトラフィックの経路指定をするためのコードを含み得る。
【００２０】
[0020]他の態様では、ＡＭＰ＿Ｓｔａｔｕｓ＿Ｃｈａｎｇｅメッセージは、ＷＬＡＮ送受信器が中間のＡＭＰ容量を有することを示し得る、第２の値を有し得、ＡＭＰリンクを動作させるためのコードは、ＷＬＡＮ送受信器により使用されているチャネルを介してＡＭＰリンクを確立するためのコードを含み得る。
【００２１】
[0021]さらに動作ステータスに関する情報を報告するためのコードは、ＷＬＡＮ送受信器に対して間もなく生ずるチャネル切換えに基づき、第１の値を有する第１のＡＭＰ＿Ｓｔａｔｕｓ＿Ｃｈａｎｇｅメッセージを報告するための、およびＷＬＡＮ送受信器が、新しいチャネルに切り換わったとき、第２の値を有する第２のＡＭＰ＿Ｓｔａｔｕｓ＿Ｃｈａｎｇｅメッセージを報告するためのコードを含み得、第２の値は、ＷＬＡＮ送受信器が中間のＡＭＰ容量を有することを示し得、またＡＭＰリンクを動作させるためのコードは、新しいチャネルを介してＡＭＰリンクを確立するためのコードを含み得る。
【００２２】
[0022]他の態様では、ＡＭＰ＿Ｓｔａｔｕｓ＿Ｃｈａｎｇｅメッセージは、ＷＬＡＮ送受信器が高いＡＭＰ容量を有することを示し得る、第３の値を有し得、ＡＭＰリンクを動作させるためのコードは、ＡＭＰリンクを確立するためのコードを含み得る。
【００２３】
[0023]さらに他の態様では、ＡＭＰ＿Ｓｔａｔｕｓ＿Ｃｈａｎｇｅメッセージは、ＷＬＡＮ送受信器が事前に定義されたＡＭＰ容量を有することを示し得る、第４の値を有し得、またＡＭＰリンクを動作させるためのコードは、ＡＭＰリンクを調整するためのコードを含み得る。
【００２４】
[0024]本開示はまた、ワイヤレス通信デバイスが、Ｂｌｕｅｔｏｏｔｈ送受信器と、ＢｌｕｅｔｏｏｔｈＡＭＰリンクをサポートするためのＰＡＬを含むＷＬＡＮ送受信器と、ＰＡＬを介してＷＬＡＮ送受信器と通信するＡＭＰリンクを動作させるための手段と、ＷＬＡＮ送受信器のＷＬＡＮ動作ステータスに関する情報を、ＡＭＰリンクを動作させるための手段に報告するための手段とを有する実施形態を含み、ＡＭＰリンクを動作させるための手段が、動作ステータス情報に基づいてＡＭＰリンクを動作させる。動作ステータス情報は、情報を、ＡＭＰリンクを動作させるための手段に報告するための手段により送られるＡＭＰ＿Ｓｔａｔｕｓ＿Ｃｈａｎｇｅメッセージとされ得る。
【００２５】
[0025]一態様では、ＡＭＰ＿Ｓｔａｔｕｓ＿Ｃｈａｎｇｅメッセージは、ＷＬＡＮ送受信器がＡＭＰ容量を有していないことを示し得る、第１の値を有し得、またＡＭＰリンクを動作させるための手段は、ＡＭＰ＿Ｓｔａｔｕｓ＿Ｃｈａｎｇｅメッセージを受信すると、ＡＭＰリンクの接続を解除し得る。さらにＡＭＰリンクを動作させるための手段は、ＡＭＰリンクの接続が解除された後、ＢｌｕｅｔｏｏｔｈトラフィックをＢｌｕｅｔｏｏｔｈ送受信器へと経路指定し得る。
【００２６】
[0026]他の態様では、ＡＭＰ＿Ｓｔａｔｕｓ＿Ｃｈａｎｇｅメッセージは、ＷＬＡＮ送受信器が中間のＡＭＰ容量を有することを示し得る、第２の値を有し得、またＡＭＰリンクを動作させるための手段は、ＡＭＰ＿Ｓｔａｔｕｓ＿Ｃｈａｎｇｅメッセージを受信すると、ＷＬＡＮ送受信器により使用されているチャネルを介してＡＭＰリンクを確立し得る。
【００２７】
[0027]さらに情報を報告するための手段は、ＷＬＡＮ送受信器に対して間もなく生ずるチャネル切換えに基づき、第１の値を有する第１のＡＭＰ＿Ｓｔａｔｕｓ＿Ｃｈａｎｇｅメッセージを送り得、またＷＬＡＮ送受信器が、新しいチャネルに切り換わったとき、第２の値を有する第２のＡＭＰ＿Ｓｔａｔｕｓ＿Ｃｈａｎｇｅメッセージを送り得、第２の値は、ＷＬＡＮ送受信器が中間のＡＭＰ容量を有することを示し得、またＡＭＰリンクを動作させるための手段は、第２のＡＭＰ＿Ｓｔａｔｕｓ＿Ｃｈａｎｇｅメッセージを受信すると、新しいチャネルを介してＡＭＰリンクを確立し得る。
【００２８】
[0028]他の態様では、ＡＭＰ＿Ｓｔａｔｕｓ＿Ｃｈａｎｇｅメッセージは、ＷＬＡＮ送受信器が高いＡＭＰ容量を有することを示し得る、第３の値を有し得、またＡＭＰリンクを動作させるための手段は、ＡＭＰ＿Ｓｔａｔｕｓ＿Ｃｈａｎｇｅメッセージを受信するとＡＭＰリンクを確立し得る。
【００２９】
[0029]さらに他の態様では、ＡＭＰ＿Ｓｔａｔｕｓ＿Ｃｈａｎｇｅメッセージは、ＷＬＡＮ送受信器が事前に定義されたＡＭＰ容量を有することを示し得る、第４の値を有し得、またＡＭＰリンクを動作させるための手段は、ＡＭＰ＿Ｓｔａｔｕｓ＿Ｃｈａｎｇｅメッセージを受信すると、ＡＭＰリンクを調整し得る。
【００３０】
[0030]さらなる特徴および利点は、添付図面で示された、本発明の好ましい実施形態の以下の、より詳細な説明から明らかとなり、ここで、参照された同様の符号は、概して、諸図を通して同様の部分または要素を指している。
【図面の簡単な説明】
【００３１】
【図１】[0031]本発明の一実施形態による、ＷＬＡＮおよびＢｌｕｅｔｏｏｔｈＡＭＰリンクをサポートするワイヤレス通信デバイスを含むワイヤレス環境を概略的に示す図。
【図２】[0032]本発明の一実施形態による、ＷＬＡＮ動作ステータスに基づいてＡＭＰリンクの動作を調整するワイヤレス通信デバイスの機能ブロックを概略的に示す図。
【図３】[0033]ＡＭＰリンクを組み込むＢｌｕｅｔｏｏｔｈおよびＷＬＡＮスタックの部分を表す図。
【図４】[0034]本発明の一実施形態による、ＷＬＡＮチャネル変更に応じて、ＡＭＰリンクの接続解除を示すシーケンス図。
【図５】[0035]本発明の一実施形態による、ＷＬＡＮチャネル変更に続く、ＡＭＰリンクの確立を示すシーケンス図。
【図６】[0036]本発明の一実施形態による、デバイスのＷＬＡＮ送受信器の動作ステータス情報に基づいてＡＭＰリンクを動作させるための例示的なルーチンを示すフローチャート。
【発明を実施するための形態】
【００３２】
[0037]最初に、本開示は、特に例示された材料、アーキテクチャ、ルーチン、方法または構造に限定されるものではなく、したがって、異なり得ることを理解されたい。したがって、本明細書で述べられたものと同様の、または均等ないくつかのそのような選択肢が本開示の実施または実施形態で使用され得るが、本明細書では、好ましい材料および方法が述べられている。
【００３３】
[0038]最初に、本開示は、特に例示された材料、アーキテクチャ、ルーチン、方法または構造に限定されず、したがって、当然であるが、異なり得ることを理解されたい。したがって、本明細書で述べられたものと同様の、または均等ないくつかのそのような選択肢が本開示の実施または実施形態で使用され得るが、本明細書では、好ましい材料および方法が述べられている。
【００３４】
[0039]また、本明細書で使用される用語は、本開示の特定の実施形態について説明するためのものにすぎず、限定的であるようには意図されていないことを理解されたい。
【００３５】
[0040]添付の図面に関連して以下で述べられる詳細な説明は、本発明の例示的な実施形態の説明とし意図されており、本発明が実施され得る唯一の例示的な実施形態を表すようには意図されていない。本説明を通して使用される「例示的な」という用語は、「例（ｅｘａｍｐｌｅ／ｉｎｓｔａｎｃｅ）として、または例示するもの（ｉｌｌｕｓｔｒａｔｉｏｎ）として働くこと」を意味しており、必ずしも他の例示的な実施形態よりも、好ましいまたは有利であると解釈されるべきではない。詳細な説明は、本明細書の例示的な実施形態の十分な理解を提供するための特有の細部を含む。本明細書の例示的な実施形態は、これらの特有の細部を含まずに実施され得ることは、当業者には明らかであろう。いくつかの場合では、本明細書で提示される例示的な実施形態の新規性を曖昧にするのを避けるために、よく知られた構造およびデバイスがブロック図の形で示される。
【００３６】
[0041]便宜上および明確化のためにすぎないが、上部、底部、左、右、上方（ｕｐ）、下方（ｄｏｗｎ）、上（ｏｖｅｒ／ａｂｏｖｅ）、下（ｂｅｌｏｗ／ｂｅｎｅａｔｈ）、背後、後、および前などの方向を示す用語は、添付の図面またはチップ（ｃｈｉｐ）実施形態に関して使用され得る。これらの、および同様の方向を示す用語は、どのような形であっても本発明の範囲を限定するものと解釈されるべきではない。
【００３７】
[0042]本明細書および特許請求の範囲において、ある要素が、他の要素に「接続される」または「結合される」と称される場合、それは、他の要素に直接接続される、または結合され得るが、あるいは介在する要素が存在し得ることが理解されよう。それとは反対に、ある要素が、他の要素に「直接接続される」、または「直接結合される」と称される場合、介在する要素は存在しない。
【００３８】
[0043]以下で示される詳細な説明のいくつかの部分は、コンピュータメモリ内のデータビットに対するオペレーションのプロシージャ、論理ブロック、処理、および他の記号表現により提示される。これらの説明および表現は、データ処理の当業者がその仕事の本質を他の当業者に最も効果的に伝えるために使用される手段である。本出願では、プロシージャ、論理ブロック、プロセスなどは、所望の結果をもたらす自己矛盾のない一連のステップまたは命令であると考えられる。ステップは、物理量の物理操作を必要とするステップである。必ずしもそうとは限らないが、通常、これらの量は、コンピュータシステムにおいて記憶、転送、組合せ、比較、および他の操作が可能な、電気信号または磁気信号の形態をとる。
【００３９】
[0044]ただし、これらの、および同様の用語はすべて、適切な物理量に関連付けられるべきものであり、これらの量に付与される便利なラベルにすぎないことを留意されたい。以下の論議から明らかなように、特に別の形で述べられない限り、本出願全体を通して、「アクセスする」、「受信する／受け取る」、「送る」、「用いる」、「選択する」、「決定する」、「正規化する」、「乗算する」、「平均する」、「監視する」、「比較する」、「適用する」、「更新する」、「測定する」、「導出する」、または同様のものなどの用語を用いる論議は、コンピュータシステムのレジスタおよびメモリ内の物理的（電子的）な量として表されたデータを操作して、コンピュータシステムメモリもしくはレジスタ、または他のそのような情報記憶、送信もしくは表示デバイス内の物理量として同様に表される他のデータへと変換する、コンピュータシステムまたは同様の電子的なコンピューティングデバイスのアクションおよびプロセスを指すことを理解されたい。
【００４０】
[0045]本明細書で述べられる実施形態は、１つまたは複数のコンピュータまたは他のデバイスにより実行される、プログラムモジュールなど、何らかの形のプロセッサ可読媒体上に常駐するプロセッサ実行可能命令の一般的な文脈で論じられ得る。概して、プログラムモジュールは、特定のタスクを実行するか、または特定の抽象データ型を実施するルーチン、プログラム、オブジェクト、構成要素、データ構造などを含む。プログラムモジュールの機能は、様々な実施形態において必要に応じて組み合わせられ得るか、または分散され得る。
【００４１】
[0046]図では、単一のブロックは、１つまたは複数の機能を実施するものとして述べられ得るが、実施に当たっては、そのブロックにより実施される１つまたは複数の機能は、単一の構成要素で、または複数の構成要素にわたって実施され得る、および／またはハードウェアを用いて、ソフトウェアを用いて、またはハードウェアとソフトウェアの組合せを用いて実施され得る。ハードウェアとソフトウェアのこの互換性を明確に示すために、様々な例示的な構成要素、ブロック、モジュール、回路、およびステップが、概してそれらの機能により上記で述べられてきている。そのような機能がハードウェアとして実施されるか、それともソフトウェアとして実施されるかは、特定の用途、およびシステム全体に課せられた設計制約に依存する。当業者であれば、各特定の用途に対して様々な方法で、前述の機能を実施し得るが、そのような実施の決定が、本発明の範囲から逸脱させるものと解釈されるべきではない。さらに例示的なワイヤレス通信デバイスは、プロセッサ、メモリ、および同様のものなどのよく知られた構成要素を含む、これらの示されたもの以外の構成要素を含み得る。
【００４２】
[0047]本明細書で述べられる技法は、特有の方法で実施されるように特に述べられていない限り、ハードウェア、ソフトウェア、ファームウェア、またはそれらの任意の組合せで実施され得る。モジュールまたは構成要素として述べられたいずれの機能もまた、統合された論理デバイスで共に、またはディスクリートであるが相互運用可能な論理デバイスとして別個に実施され得る。ソフトウェアで実施される場合、本技法は、実行されたとき、上記で述べた方法の１つまたは複数のものを実施する命令を備える非一時的なプロセッサ可読記憶媒体により少なくとも部分的に実現され得る。非一時的なプロセッサ可読データ記憶媒体は、パッケージング材を含み得るコンピュータプログラム製品の一部を形成し得る。
【００４３】
[0048]非一時的なプロセッサ可読データ記憶媒体は、同期型ＤＲＡＭ（ＳＤＲＡＭ）などのランダムアクセスメモリ（ＲＡＭ）、読出し専用メモリ（ＲＯＭ）、不揮発性ランダムアクセスメモリ（ＮＶＲＡＭ）、電気的消去可能なＰＲＯＭ（ＥＥＰＲＯＭ（登録商標））、フラッシュメモリ、他の知られた記憶媒体、および同様のものを備え得る。本技法は、さらにまたは代替的に、命令またはデータ構造の形でコードを搬送する、または伝達する、およびコンピュータもしくは他のプロセッサによりアクセスされる、読み取られる、および／または実行され得るプロセッサ可読通信媒体により少なくとも部分的に実現され得る。
【００４４】
[0049]本明細書で開示される実施形態に関連して述べられる様々な例示的な論理ブロック、モジュール、回路、および命令は、１つまたは複数のデジタル信号プロセッサ（ＤＳＰ）、汎用マイクロプロセッサ、特定用途向けＩＣ（ＡＳＩＣ）、特定用途向け命令セットプロセッサ（ＡＳＩＰ）、書替え可能ゲートアレイ（ＦＰＧＡ）、または他の均等な一体化された、またはディスクリートな論理回路など、１つまたは複数のプロセッサにより実行され得る。本明細書で使用される場合、「プロセッサ」という用語は、前述の構造のいずれか、または本明細書で述べられる技法を実施するのに適した他の任意の構造を指し得る。さらにいくつかの態様では、本明細書で述べられる機能は、本明細書で述べられるように構成された専用のソフトウェアモジュール、またはハードウェアモジュール内で提供され得る。さらに本技法は、１つまたは複数の回路または論理要素で完全に実施することもできる。汎用プロセッサは、マイクロプロセッサとされ得るが、代替的には、プロセッサは、任意の従来のプロセッサ、コントローラ、マイクロプロセッサ、または状態マシンとされ得る。プロセッサはまた、ＤＳＰとマイクロプロセッサの組合せ、複数のマイクロプロセッサ、ＤＳＰコアと併せた１つまたは複数のマイクロプロセッサ、または任意の他のそのような構成など、コンピューティングデバイスの組合せとしても実施され得る。
【００４５】
[0050]便宜上および明確化のためにすぎないが、上部、底部、左、右、上方（ｕｐ）、下方（ｄｏｗｎ）、上（ｏｖｅｒ／ａｂｏｖｅ）、下（ｂｅｌｏｗ／ｂｅｎｅａｔｈ）、背後、後、および前などの方向を示す用語は、添付の図面または特定の実施形態に関して使用され得る。これらの、および同様の方向を示す用語は、いずれの形であっても本発明の範囲を限定するものと解釈されるべきではなく、文脈に応じて変わり得る。さらに、第１および第２などの連続的な用語は、同様の要素を区別するために使用され得るが、他の順序で使用される、または文脈に応じても変化し得る。
【００４６】
[0051]本明細書では、システム、加入者ユニット、加入者ステーション、移動局、モバイルワイヤレス端末、モバイルデバイス、ノード、デバイス、遠隔ステーション、遠隔端末、端末、ワイヤレス通信デバイス、ワイヤレス通信装置、ユーザエージェント、または他のクライアントデバイスなど、任意の適切なタイプのユーザ機器を含み得る、ワイヤレス通信デバイスに関する諸実施形態が述べられる。ワイヤレス通信デバイスのさらなる例は、セルラ式電話、コードレス電話、セッション初期化プロトコル（ＳＩＰ）電話、スマートフォン、ワイヤレスローカルループ（ＷＩＬＬ）ステーション、携帯情報端末（ＰＤＡ）、ラップトップ、ハンドヘルド通信デバイス、ハンドヘルドコンピューティングデバイス、衛星無線、ワイヤレスモデムカード、および／またはワイヤレスシステムを介して通信するための他の処理デバイスなどのモバイルデバイスを含む。さらに実施形態はまた、アクセスポイント（ＡＰ）に関して本明細書でも述べれ得る。ＡＰは、１つまたは複数のワイヤレスノードと通信するために使用され、基地局、ノード、ノードＢ、ｅｖｏｌｖｅｄ  ＮｏｄｅＢ（ｅＮＢ）、または他の適切なネットワークエンティティと称され、そのようにも呼ばれ、またそれらに関連する機能を示し得る。ＡＰは、ワイヤレス端末と無線インターフェースを介して通信する。通信は、１つまたは複数のセクタを通して行われ得る。ＡＰは、受信された無線インターフェースフレームをＩＰパケットに変換することにより、ワイヤレス端末と、インターネットプロトコル（ＩＰ）ネットワークを含み得るアクセスネットワークの残りの部分との間のルータとして働き得る。ＡＰはまた、無線インターフェースに対する属性の管理を調整し得、さらに有線ネットワークとワイヤレスネットワークとの間のゲートウェイでもあり得る。
【００４７】
[0052]別段に定義されていない限り、本明細書で使用されるすべての技術用語および科学用語は、本開示が関係する当業者によって一般に理解されるのと同じ意味を有する。
【００４８】
[0053]最後に、本明細書および添付の特許請求の範囲で使用される場合、「１つの（ａ）」、「１つの（ａｎ）」、および「その（ｔｈｅ）」という単数形は、内容がその他の形を明確に示していない限り、複数の指示対象を含む。
【００４９】
[0054]本開示の技法を使用することにより、ワイヤレス通信デバイスは、共存するＷＬＡＮシステムとの競合を低減しながら、増加したデータレートで、Ｂｌｕｅｔｏｏｔｈシステムに関連する接続および相互運用性の容易さを提供し得る。以下で述べるように、ＷＬＡＮシステムのステータスに関する情報は、Ｂｌｕｅｔｏｏｔｈリンクが、ＷＬＡＮシステムのステータスによく適合して動作され得るように、Ｂｌｕｅｔｏｏｔｈシステムに伝達され得る。
【００５０】
[0055]本開示のシステムおよび方法を例示するのを助けるために、ＢｌｕｅｔｏｏｔｈおよびＷＬＡＮ機能を有するワイヤレス通信デバイス１０２を含む例示的なワイヤレス通信システム１００が図１に示されている。この実施形態では、ワイヤレス通信デバイス１０２は、これもまたＢｌｕｅｔｏｏｔｈおよびＷＬＡＮ機能を有するワイヤレス通信デバイス１０４とＢｌｕｅｔｏｏｔｈ通信リンクを形成し得る。一態様では、Ｂｌｕｅｔｏｏｔｈ通信リンクは、２．４ＧＨｚの産業科学医療用（ＩＳＭ）周波数帯で、拡散スペクトラム周波数ホッピング技法を使用して、通信を駆動するために各デバイスに存在するＢｌｕｅｔｏｏｔｈ送受信器を使用し得る。Ｂｌｕｅｔｏｏｔｈプロトコルは、最高で約１Ｍｂｐｓのデータ転送を提供するベーシックレート（ＢＲ）、または最高で約３Ｍｂｐｓの拡張データレート（ＥＤＲ）を提供する。したがって、Ｂｌｕｅｔｏｏｔｈ送受信器を用いてワイヤレス通信デバイス１０２と１０４との間で形成される通信リンクは、「ＢＲ／ＥＤＲ」リンクと呼ばれ得る。
【００５１】
[0056]より高いスループットを達成するために、Ｂｌｕｅｔｏｏｔｈ３．０プロトコルは、ワイヤレス通信デバイス１０２および１０４のＷＬＡＮ送受信器のＭＡＣおよびＰＨＹレイヤを介してＢｌｕｅｔｏｏｔｈ情報を送達することを可能にする。これらの条件下で、Ｂｌｕｅｔｏｏｔｈシステムは、最高で約２４Ｍｂｐｓのデータ転送レートを達成し得、またワイヤレス通信デバイス１０２とワイヤレス通信デバイス１０４との間で形成されるこのタイプの通信リンクは、「ＡＭＰ」リンクと呼ばれ得る。Ｂｌｕｅｔｏｏｔｈシステムは、デバイス発見オペレーション、初期接続の形成、Ｂｌｕｅｔｏｏｔｈシステムにより使用されるプロファイルの構成、およびその他のものを含む、リンクのいずれかのタイプを確立し実施することに関連する機能の大部分を実行するために、Ｂｌｕｅｔｏｏｔｈ送受信器を使用し得る。しかし、Ｂｌｕｅｔｏｏｔｈシステムは、増加したレートでデータを移送することが望ましい場合、ワイヤレス通信デバイス１０２および１０４のそれぞれのＷＬＡＮ送受信器間でＡＭＰリンクを確立するために、Ｂｌｕｅｔｏｏｔｈ送受信器を介する通信を使用し得る。ＡＭＰリンクが確立された後、Ｂｌｕｅｔｏｏｔｈシステムは、次いで、ＷＬＡＮ送受信器を介してＢｌｕｅｔｏｏｔｈデータを経路指定し得る。
【００５２】
[0057]ＡＭＰリンクに加えて、ワイヤレス通信デバイス１０２のＷＬＡＮ送受信器は、Ｂｌｕｅｔｏｏｔｈシステムとは独立しているＷＬＡＮシステムに関連するオペレーションに関して並行使用し得る。たとえば、図１で示すように、ワイヤレス通信デバイス１０２は、基盤ＷＬＡＮにおけるアクセスポイント１０６に関連付けられ得る。他の実施形態では、ワイヤレス通信デバイス１０２は、ＷｉＦｉ（登録商標）  Ｄｉｒｅｃｔ（登録商標）など、アドホックネットワーク、またはピアツーピアプロトコルを含む、任意の適切なネットワーク接続形態で、ワイヤレス通信デバイスの任意の他のタイプと接続を形成するために、ＷＬＡＮ送受信器を使用し得る。本開示の範囲では、ＢｌｕｅｔｏｏｔｈＡＭＰリンクと関連付けられていないＷＬＡＮ送受信器を使用する通信は、「ＷＬＡＮ」リンクと呼ばれ得る。ＢｌｕｅｔｏｏｔｈシステムにＷＬＡＮリンクのステータスを伝達することにより、ＡＭＰリンクは、共存を向上させるように構成され得る。
【００５３】
[0058]ワイヤレス通信デバイス１０２の一実施形態に関するさらなる細部は、図２の高水準の概略ブロックとして示されている。いくつかの実施形態では、ワイヤレス通信デバイス１０２は、ＢｌｕｅｔｏｏｔｈおよびＷＬＡＮシステムの低水準プロトコルスタックが、それぞれの送受信器のファームウェアおよびハードウェアモジュールであるアーキテクチャを使用し得る。図示のように、Ｂｌｕｅｔｏｏｔｈ送受信器２０２は、アドバタイズメント、スキャン、接続、およびセキュリティ機能を実施することにより、ワイヤレス通信デバイス１０２とワイヤレス通信デバイス１０４との間のＢＲ／ＥＤＲリンクなど、Ｂｌｕｅｔｏｏｔｈリンクを管理するためのリンクマネジャプロトコル（ＬＭＰ）２０４を含む。Ｂｌｕｅｔｏｏｔｈ送受信器２０２はまた、電子信号をハードウェア特有の送信および受信を実施するためのリンクコントローラ（ＬＣ）２０６を含む。同様に、ＷＬＡＮ送受信器２０８は、検証、肯定応答、経路指定、フォーマット化、および同様のものを含むデータのフレームの（ＩＥＥＥ８０２．１１規格で定義されるように）ハンドリングおよび処理に関する機能を実施し得る媒体アクセスコントローラ（ＭＡＣ）２１０を含む。到来するフレーム、および送出されるフレームは、ＭＡＣ２１０と物理レイヤ（ＰＨＹ）２１２との間で交換され、それは、本明細書で示されるように、関連するＩＥＥＥ８０２．１１規格で定義されたプロトコルに従ってフレームを変調し、ならびにワイヤレス信号の送信と受信とを提供するのに必要なアナログ処理およびＲＦ変換を提供する機能を含む。
【００５４】
[0059]ＷＬＡＮ送受信器２０８はまた、Ｂｌｕｅｔｏｏｔｈプロトコルスタックの上位レイヤとＭＡＣ２１０およびＰＨＹ２１２との間の情報交換を調整するためのプロトコル適合レイヤ（ＰＡＬ）２１４を含み得る。さらにＰＡＬ２１４は、以下で述べるように、ＷＬＡＮ送受信器２０８の動作ステータスに関する情報をＢｌｕｅｔｏｏｔｈシステムに伝達するように構成されたレポータ２１６を含み得る。
【００５５】
[0060]図示された実施形態では、各Ｂｌｕｅｔｏｏｔｈ送受信器２０２およびＷＬＡＮ送受信器２０８は、それぞれ、関連するアンテナ、すなわち、アンテナ２１８および２２０を有する。所望に応じて、１つまたは複数のアンテナが、当技術分野で知られた切換え技法を用いて、送受信器間で共用され得る。いくつかの実施形態では、Ｂｌｕｅｔｏｏｔｈ送受信器２０２およびＷＬＡＮ送受信器２０８のいくつかの、またはすべての要素は、共通のシステム上に、たとえば、同じシステム内の同じ回路板上に、または別々の回路板上に共に配置され得る、あるいはシステムオンチップ（ＳｏＣ）実装として同じ一体化された回路上に組み込まれ得る。
【００５６】
[0061]ワイヤレス通信デバイス１０２はまた、ワイヤレス通信デバイス１０２を機能させることに含まれる様々な計算およびオペレーションを実施するように構成されたホストＣＰＵ２２２を含む。ホストＣＰＵ２２２は、ｐｅｒｉｐｈｅｒａｌ  ｃｏｍｐｏｎｅｎｔ  ｉｎｔｅｒｃｏｎｎｅｃｔ  ｅｘｐｒｅｓｓ（ＰＣＩｅ）バス、ユニバーサルシリアルバス（ＵＳＢ）、  ｕｎｉｖｅｒｓａｌ  ａｓｙｎｃｈｒｏｎｏｕｓ  ｒｅｃｅｉｖｅｒ／ｔｒａｎｓｍｉｔｔｅｒ（ＵＡＲＴ）シリアルバス、適切なアドバンストマイクロコントローラバスアーキテクチャ（ＡＭＢＡ）インターフェース、ｓｅｒｉａｌ  ｄｉｇｉｔａｌ  ｉｎｐｕｔ  ｏｕｔｐｕｔ（ＳＤＩＯ）バス、または他の均等なインターフェースとして実装され得るバス２２４を介して、Ｂｌｕｅｔｏｏｔｈ送受信器２０２およびＷＬＡＮ送受信器２０８に結合される。特にバス２２４は、Ｂｌｕｅｔｏｏｔｈ  ｈｏｓｔ  ｃｏｎｔｒｏｌｌｅｒ  ｉｎｔｅｒｆａｃｅ（ＨＣＩ）に関連する機能を実施するように構成され得る。ＢｌｕｅｔｏｏｔｈおよびＷＬＡＮシステムのプロトコルスタックの上位レイヤは、バス２２４を介してホストＣＰＵ２２２によりアクセスされ得る、メモリ２３０に記憶された、Ｂｌｕｅｔｏｏｔｈホスト２２６およびＷＬＡＮホスト２２８として概してソフトウェアで実装される。
【００５７】
[0062]図３を次に参照すると、ＢｌｕｅｔｏｏｔｈプロトコルスタックおよびＷＬＡＮスタックの諸態様のより詳細な例示的表現が、特に、ホストＣＰＵ２２２で動作するソフトウェアプロセスとして実装された上位のプロトコルレイヤと、Ｂｌｕｅｔｏｏｔｈ送受信器２０２およびＷＬＡＮ送受信器２０８に実装される下位のプロトコルレイヤとの論理分割に関して示されている。図示のように、ホストＣＰＵ２２２で動作するＢｌｕｅｔｏｏｔｈホスト２２６は、アプリケーションおよびプロファイルレイヤ３０２と、上位のプロトコルレイヤからのデータの多重化およびパケットのフォーマット化を提供する論理リンク制御および適合プロトコル（Ｌ２ＣＡＰ）レイヤ３０４とを有することを含み得る。パッケージ化されたデータは、ＨＣＩ３０６を介して、下位レイヤのプロトコル、すなわち、ＢＲ／ＥＤＲリンクに関しては、Ｂｌｕｅｔｏｏｔｈ送受信器２０２のＬＭＰ２０４およびＬＣ２０６と、ＡＭＰリンクに関しては、ＷＬＡＮ送受信器２０８のＰＡＬ２１４を介して交換される。Ｂｌｕｅｔｏｏｔｈホスト２２６はまた、ＰＡＬ２１４を介してＡＭＰリンクを作成し、維持するためのＡＭＰマネジャ３１０を含み得る。それに応じて、ＷＬＡＮホスト２２８は、アプリケーションレイヤ３１２とインターネットプロトコル（ＩＰ）スタック３１４とを含み得る。パッケージ化されたデータは、ＰＡＬ２１４を含めることなく、ＷＬＡＮホスト２２８とＷＬＡＮ送受信器２０８のＭＡＣ２１０およびＰＨＹ２１２レイヤとの間で交換され得る。ＰＡＬ２１４は、Ｂｌｕｅｔｏｏｔｈホスト２２６とＷＬＡＮ送受信器２０８との間のインターフェースレイヤを提供する。ＡＭＰマネジャ３１０は、ＰＡＬ２１４を開始するために、適切なプログラミングインターフェースを呼び出し得る。それに応じて、ＰＡＬ２１４は、Ｂｌｕｅｔｏｏｔｈホスト２２６からのコマンドを実行するために、ＷＬＡＮ送受信器２０８における適切なプログラミングインターフェースを呼び出し得る。
【００５８】
[0063]本開示のいくつかの技法によれば、ＰＡＬ２１４のレポータ２１６は、Ｂｌｕｅｔｏｏｔｈホスト２２６に、ＷＬＡＮ送受信器２０８の動作ステータスに関する情報を送信し得る。ＡＭＰマネジャ３０８は、次いで、ＷＬＡＮ送受信器２０８の動作ステータスに基づきＡＭＰリンクを動作させ得る。一態様では、ＰＡＬ２１４は、適切なＢｌｕｅｔｏｏｔｈメッセージング仕様により定義されたメッセージを送信し得る。たとえば、Ｂｌｕｅｔｏｏｔｈ３．０仕様は、ＡＭＰ  Ｓｔａｔｕｓ  Ｃｈａｎｇｅ（ＡＭＰステータス変更）と称されるイベントを確立する。ＡＭＰ  Ｓｔａｔｕｓ  Ｃｈａｎｇｅは、任意の時間であっても行い得、また０ｘ４Ｄなどのイベントコードにより識別され得る。イベントに関連付けられるパラメータは、ステータスパラメータおよびＡＭＰステータスパラメータである。０ｘ００に設定されたステータスパラメータを有するＡＭＰ＿Ｓｔａｔｕｓメッセージは、ステータスに変更が生じたことをＢｌｕｅｔｏｏｔｈホスト２２６に示すために使用され得、またＡＭＰ＿Ｓｔａｔｕｓパラメータは、ステータス変更に関する情報を提供するために使用され得る。したがって、ＡＭＰ  Ｓｔａｔｕｓ  Ｃｈａｎｇｅイベントは、ＡＭＰ＿Ｓｔａｔｕｓパラメータに対して可変の値を有するＡＭＰ＿Ｓｔａｔｕｓメッセージを送ることを含み得る。Ｂｌｕｅｔｏｏｔｈ３．０仕様により現在定義されているＡＭＰ＿Ｓｔａｔｕｓパラメータ値は、表１で与えられる。
【表１】
0005912009.tif 000002
【００５９】
[0064]レポータ２１６は、ＷＬＡＮ送受信器２０８の動作ステータスに応じて、所与のＡＭＰ＿Ｓｔａｔｕｓ値を有するＡＭＰ＿Ｓｔａｔｕｓ＿Ｃｈａｎｇｅメッセージを送信し得る。たとえば、ＷＬＡＮ送受信器の動作は、ＷＬＡＮ送受信器２０８がワイヤレスチャネルを変えることを含み得るスキャンまたはローミングプロシージャを含み得る。しかし、チャネルを変えることは、現在のチャネルにわたり確立されたＡＭＰリンクを乱すおそれがある。所与のチャネルにアクティブなＡＭＰリンクがある場合、ＷＬＡＮ接続が現在のチャネルからローミングして離れると直ちに、並行動作を行うことができなくなり得る。適切な値を有するＡＭＰ＿Ｓｔａｔｕｓ＿Ｃｈａｎｇｅメッセージを送ることにより、レポータ２１６は、ＷＬＡＮおよびＡＭＰリンクの動作を調整し得る。
【００６０】
[0065]一実施形態では、レポータ２１６は、ＷＬＡＮ送受信器２０８により利用可能な現在のＡＭＰ容量はないことを示す０ｘ０２などの第１の値を有するＡＭＰ＿Ｓｔａｔｕｓ＿ＣｈａｎｇｅメッセージをＢｌｕｅｔｏｏｔｈホスト２２６に送るように構成され得る。このメッセージは、ＷＬＡＮ送受信器２０８が移動する前に、別のチャネルに送られ得る。現在のチャネル上に確立されたどのＡＭＰリンクも影響され得るので、ＡＭＰマネジャ３０８は、第１の値を有するＡＭＰ＿Ｓｔａｔｕｓメッセージを受信すると、ＡＭＰリンクを使用不可にし、どのＢｌｕｅｔｏｏｔｈトラフィックもＢｌｕｅｔｏｏｔｈ送受信器２０２を通して経路指定するように構成され得る。
【００６１】
[0066]関連する機能ブロックの調整が、図４のシーケンス図で示されている。この実施形態では、ＡＭＰリンクは、ＷＬＡＮ送受信器２０８を用いて、ワイヤレス通信デバイス１０４などの他の適切に構成されたデバイスと確立される。ＷＬＡＮ送受信器２０８が、スキャンまたはローミングプロセスなどにおいて、チャネル変更を行うように準備しているとき、レポータ２１６は、ＷＬＡＮ動作ステータスに変更があると決定し、第１の値を有するＡＭＰ＿Ｓｔａｔｕｓ＿ＣｈａｎｇｅメッセージをＢｌｕｅｔｏｏｔｈホスト２２６に送信し得る。ＡＭＰマネジャ３０８は、メッセージを受け取り、Ｄｉｓｃｏｎｎｅｃｔ＿Ｐｈｙｓｉｃａｌ＿Ｌｉｎｋ＿Ｒｅｑなど、ＡＭＰリンクの接続を解除するための要求で応じ得る。ＷＬＡＮ送受信器２０８は、次いで、必要に応じてチャネルを変え得る。Ｂｌｕｅｔｏｏｔｈホスト２２６はまた、ＢＲ／ＥＤＲリンクを用いて、その後の動作を調整するために、メッセージをＢｌｕｅｔｏｏｔｈ送受信器２０２にも送信し得る。たとえば、Ｂｌｕｅｔｏｏｔｈホスト２２６は、Ｂｌｕｅｔｏｏｔｈ送受信器２０２に、ＡＭＰ＿Ｃｈａｎｇｅ＿Ｎｏｔｉｆｙメッセージをワイヤレス通信デバイス１０４に送信させ得る。その後に生ずるデータ交換は、次いで、ＢＲ／ＥＤＲリンクを介して続き得る。
【００６２】
[0067]他の実施形態では、レポータ２１６は、ＷＬＡＮから利用できる中間のＡＭＰ容量が存在することを示す０ｘ０４などの第２の値を有するＡＭＰ＿ＳｔａｔｕｓメッセージをＢｌｕｅｔｏｏｔｈホスト２２６に送るように構成され得る。このメッセージは、たとえば、ＷＬＡＮ送受信器２０８が、新しいチャネルに移った後に送られ得る。Ｂｌｕｅｔｏｏｔｈホスト２２６は、このメッセージを受信した後、ＡＭＰリンクを新しいチャネルに確立し、ＢｌｕｅｔｏｏｔｈトラフィックをＡＭＰリンクを介して経路指定するように構成され得る。
【００６３】
[0068]関連する機能ブロックの調整が、図５のシーケンス図で示されている。ＢＲ／ＥＤＲリンクが、Ｂｌｕｅｔｏｏｔｈ送受信器２０２を用いて、ワイヤレス通信デバイス１０４などの他の適切に構成されたデバイスと確立される。ＷＬＡＮ送受信器２０８が新しいチャネルに切り換わるとき、レポータ２１６は、ＷＬＡＮ動作ステータスに変更があると決定し、第２の値を有するＡＭＰ＿Ｓｔａｔｕｓ＿ＣｈａｎｇｅメッセージをＢｌｕｅｔｏｏｔｈホスト２２６に送るように構成され得る。それに応じて、Ｂｌｕｅｔｏｏｔｈホスト２２６は、ＡＭＰリンクを介する通信を調整するために、ワイヤレス通信デバイス１０４に対して、Ｂｌｕｅｔｏｏｔｈ送受信器２０２にＡＭＰ＿Ｃｈａｎｇｅ＿Ｎｏｔｉｆｙメッセージを送信させ得る。ＡＭＰマネジャ３０８は、新しいチャネルを介してＷＬＡＮ送受信器２０８によりＡＭＰリンクを使用可能にし得る。
【００６４】
[0069]ワイヤレス通信デバイス１０２はまた、レポータ２１６により送られるステータス情報を状況に応じて使用するように構成され得る。たとえば、第１の値を有するＡＭＰ＿Ｃｈａｎｇｅ＿Ｎｏｔｉｆｙメッセージは、ＷＬＡＮ送受信器２０８を含む間もなく生ずるチャネル変更を示すために使用され得る。上記で述べたように、Ｂｌｕｅｔｏｏｔｈホスト２２６は、ＷＬＡＮ送受信器２０８がチャネルを変更した場合であっても、Ｂｌｕｅｔｏｏｔｈ通信を継続できるように、ＡＭＰリンクの接続を解除して、ＢＲ／ＥＤＲリンクを介してトラフィックを経路指定し得る。それに応じて、レポータ２１６は、次いで、ＷＬＡＮ送受信器２０８が新しいチャネル上に移ったとき、第２の値を有するＡＭＰ＿Ｃｈａｎｇｅ＿Ｎｏｔｉｆｙメッセージを送信し得る。Ｂｌｕｅｔｏｏｔｈホスト２２６が、第１の値を有するメッセージの受取りに続いて、第２の値を有するメッセージを受け取ったとき、Ｂｌｕｅｔｏｏｔｈホスト２２６は、上記で述べたように、新しいワイヤレスチャネル上にＡＭＰリンクを再確立し得る。
【００６５】
[0070]所望に応じて、レポータ２１６は、ＷＬＡＮ送受信器２０８の様々な他の動作条件を伝達するために、所望に応じてさらなるＡＭＰ＿Ｓｔａｔｕｓ＿Ｃｈａｎｇｅメッセージを使用するように構成され得る。たとえば、他の実施形態では、レポータ２１６は、ＷＬＡＮ送受信器２０８から利用できる高いＡＭＰ容量が存在することを示す、たとえば、０ｘ０６などの第３の値を有するＡＭＰ＿Ｓｔａｔｕｓ＿ＣｈａｎｇｅメッセージをＢｌｕｅｔｏｏｔｈホスト２２６に送るように構成され得る。このメッセージは、たとえば、ＷＬＡＮリンクの接続が解除されると送られ得る。Ｂｌｕｅｔｏｏｔｈホスト２２６は、任意の適切なチャネル上でＡＭＰリンクを確立し、このメッセージを受信するとＡＭＰリンクを介してＢｌｕｅｔｏｏｔｈトラフィックを経路指定するように構成され得る。他の実施形態は、その動作状態に基づいてＷＬＡＮ送受信器２０８におけるＡＭＰ容量の様々な程度を示すために使用され得る様々な値を有するＡＭＰ＿Ｓｔａｔｕｓ＿Ｃｈａｎｇｅメッセージを送ることを含む。たとえば、低いＡＭＰ容量を示す、たとえば、０ｘ０３などの第４の値を有するＡＭＰ＿Ｓｔａｔｕｓ＿Ｃｈａｎｇｅメッセージは、ＡＭＰリンクの使用をまだ可能にしながら、ＷＬＡＮリンクを優先することを認めるために送信され得る。ＡＭＰ＿Ｓｔａｔｕｓ＿Ｃｈａｎｇｅメッセージを受信すると、Ｂｌｕｅｔｏｏｔｈホスト２２６は、Ｌ２ＣＡＰ３０４における肯定応答アルゴリズムを構成することによるなど、ＡＭＰリンクの使用を調整し得る。
【００６６】
[0071]ＷＬＡＮリンクのステータスをＢｌｕｅｔｏｏｔｈホスト２２６に伝達するための本開示の技法の適切な一例が、図６のフローチャートにより表されている。６０２で開始すると、レポータ２１６は、ワイヤレス通信デバイス１０２のＷＬＡＮ送受信器２０８の動作ステータスに関する情報を決定し得る。６０４で、レポータ２１６は、ＰＡＬ２１４を介してＢｌｕｅｔｏｏｔｈホスト２２６に情報を送信し得る。６０６で、情報に基づき、Ｂｌｕｅｔｏｏｔｈホスト２２６は、次いで、ＷＬＡＮ送受信器２０８のＡＭＰリンクを動作させ得る。一態様では、動作ステータスは、Ｂｌｕｅｔｏｏｔｈホスト２２６がデバイスのＡＭＰリンクの接続を解除できるように、間もなく生ずるチャネル切換えを示し得る。所望に応じて、レポータ２１６は、ＷＬＡＮ送受信器２０８（６０８）のその後の動作ステータスに対応する新しい情報を決定し得る。たとえば、ＷＬＡＮ送受信器２０８は、新しいチャネルへのチャネル切換えを完了し得る。６１０へ進むと、レポータ２１６は、新しい情報をＢｌｕｅｔｏｏｔｈホスト２２６に送信し得、それに従って、６１２で、Ｂｌｕｅｔｏｏｔｈホスト２２６は、新しいチャネル上にＡＭＰリンクを確立することなどにより、ＡＭＰリンクを動作させ得る。
【００６７】
[0072]現在好適である実施形態について本明細書で説明した。しかしながら、本開示の原理が適切な修正を加えて他の適用例に容易に拡張され得ることを、本発明に関係する当業者は理解されよう。  
以下に、出願当初の特許請求の範囲を付記する。
［Ｃ１］
Ｂｌｕｅｔｏｏｔｈ（登録商標）送受信器と、
Ｂｌｕｅｔｏｏｔｈ代替媒体アクセス制御／物理レイヤ（ＡＭＰ）リンクをサポートするためのプロトコル適合レイヤ（ＰＡＬ）を含むワイヤレスローカルエリアネットワーク（ＷＬＡＮ）送受信器と、
前記ＰＡＬを介して前記ＷＬＡＮ送受信器と通信するためのＢｌｕｅｔｏｏｔｈホストと、
前記ＷＬＡＮ送受信器のＷＬＡＮ動作ステータスに関する情報を前記Ｂｌｕｅｔｏｏｔｈホストに送るためのレポータとを備え、ここにおいて、前記Ｂｌｕｅｔｏｏｔｈホストが、前記動作ステータス情報に基づいてＡＭＰリンクを動作させる、
ワイヤレス通信デバイス。
［Ｃ２］
前記動作ステータス情報は、前記レポータにより前記Ｂｌｕｅｔｏｏｔｈホストに送られるＡＭＰ＿Ｓｔａｔｕｓ＿Ｃｈａｎｇｅメッセージを備える、Ｃ１に記載のデバイス。
［Ｃ３］
前記ＡＭＰ＿Ｓｔａｔｕｓ＿Ｃｈａｎｇｅメッセージは、前記ＷＬＡＮ送受信器がＡＭＰ容量を有していないことを示す第１の値を有しており、ここにおいて、前記Ｂｌｕｅｔｏｏｔｈホストが前記ＡＭＰ＿Ｓｔａｔｕｓ＿Ｃｈａｎｇｅメッセージを受信すると、前記ＡＭＰリンクの接続を解除する、Ｃ２に記載のデバイス。
［Ｃ４］
前記Ｂｌｕｅｔｏｏｔｈホストは、前記ＡＭＰリンクの接続が解除された後、Ｂｌｕｅｔｏｏｔｈトラフィックを前記Ｂｌｕｅｔｏｏｔｈ送受信器にさらに経路指定する、Ｃ３に記載のデバイス。
［Ｃ５］
前記ＡＭＰ＿Ｓｔａｔｕｓ＿Ｃｈａｎｇｅメッセージは、前記ＷＬＡＮ送受信器が中間のＡＭＰ容量を有することを示す第２の値を有しており、ここにおいて、前記Ｂｌｕｅｔｏｏｔｈホストは前記ＡＭＰ＿Ｓｔａｔｕｓ＿Ｃｈａｎｇｅメッセージを受信すると、前記ＷＬＡＮ送受信器により使用されているチャネルを介して前記ＡＭＰリンクを確立する、Ｃ２に記載のデバイス。
［Ｃ６］
前記レポータはさらに、
前記ＷＬＡＮ送受信器に対して間もなく生ずるチャネル切換えに基づき、前記第１の値を有する第１のＡＭＰ＿Ｓｔａｔｕｓ＿Ｃｈａｎｇｅメッセージを送り、また
前記ＷＬＡＮ送受信器が新しいチャネルに切り換わったとき、第２の値を有する第２のＡＭＰ＿Ｓｔａｔｕｓ＿Ｃｈａｎｇｅメッセージを送り、
前記第２の値は、前記ＷＬＡＮ送受信器が中間のＡＭＰ容量を有することを示しており、また
前記Ｂｌｕｅｔｏｏｔｈホストは、前記第２のＡＭＰ＿Ｓｔａｔｕｓ＿Ｃｈａｎｇｅメッセージを受信すると、前記新しいチャネルを介してＡＭＰリンクを確立する、Ｃ３に記載のデバイス。
［Ｃ７］
前記ＡＭＰ＿Ｓｔａｔｕｓ＿Ｃｈａｎｇｅメッセージは、前記ＷＬＡＮ送受信器が高いＡＭＰ容量を有することを示す第３の値を有しており、ここにおいて、前記Ｂｌｕｅｔｏｏｔｈホストが前記ＡＭＰ＿Ｓｔａｔｕｓ＿Ｃｈａｎｇｅメッセージを受信すると、前記ＡＭＰリンクを確立する、Ｃ２に記載のデバイス。
［Ｃ８］
前記ＡＭＰ＿Ｓｔａｔｕｓ＿Ｃｈａｎｇｅメッセージは、前記ＷＬＡＮ送受信器が事前に定義されたＡＭＰ容量を有することを示す第４の値を有しており、ここにおいて、前記Ｂｌｕｅｔｏｏｔｈホストは、前記ＡＭＰ＿Ｓｔａｔｕｓ＿Ｃｈａｎｇｅメッセージを受信すると、前記ＡＭＰリンクを調整する、Ｃ２に記載のデバイス。
［Ｃ９］
Ｂｌｕｅｔｏｏｔｈおよびワイヤレスローカルエリアネットワーク（ＷＬＡＮ）機能を有するデバイスにおけるワイヤレス通信のための方法であって、
前記デバイスのＷＬＡＮ送受信器の動作ステータスに関する情報を決定することと、
前記情報を、前記ＷＬＡＮ送受信器のプロトコル適合レイヤ（ＰＡＬ）を介して前記デバイスのＢｌｕｅｔｏｏｔｈホストに報告することと、
前記情報に基づいて、Ｂｌｕｅｔｏｏｔｈ代替媒体アクセス制御／物理レイヤ（ＡＭＰ）リンクを動作させることと
を備える方法。
［Ｃ１０］
前記情報は、前記Ｂｌｕｅｔｏｏｔｈホストに送られるＡＭＰ＿Ｓｔａｔｕｓ＿Ｃｈａｎｇｅメッセージを備える、Ｃ９に記載の方法。
［Ｃ１１］
前記ＡＭＰ＿Ｓｔａｔｕｓ＿Ｃｈａｎｇｅメッセージが第１の値を有し、ここにおいて、前記第１の値は、前記ＷＬＡＮ送受信器がＡＭＰ容量を有しないことを示しており、またここにおいて、前記ＡＭＰリンクを動作させることは、前記ＡＭＰリンクの接続を解除することを備える、Ｃ１０に記載の方法。
［Ｃ１２］
前記ＡＭＰリンクの接続が解除された後、Ｂｌｕｅｔｏｏｔｈトラフィックを前記デバイスのＢｌｕｅｔｏｏｔｈ送受信器に経路指定することをさらに備える、Ｃ１１に記載の方法。
［Ｃ１３］
前記ＡＭＰ＿Ｓｔａｔｕｓ＿Ｃｈａｎｇｅメッセージは第２の値を有し、ここにおいて、前記第２の値は、前記ＷＬＡＮ送受信器が中間のＡＭＰ容量を有することを示しており、またここにおいて、前記ＡＭＰリンクを動作させることは、前記ＷＬＡＮ送受信器により使用されているチャネルを介して前記ＡＭＰリンクを確立することを備える、Ｃ１０に記載の方法。
［Ｃ１４］
前記第１の値を有する前記第１のＡＭＰ＿Ｓｔａｔｕｓ＿Ｃｈａｎｇｅメッセージは、前記ＷＬＡＮ送受信器に対して間もなく生ずるチャネル切換えに基づいて報告され、
前記ＷＬＡＮ送受信器が新しいチャネルに切り換わったとき、第２の値を有する第２のＡＭＰ＿Ｓｔａｔｕｓ＿Ｃｈａｎｇｅメッセージを報告することと、ここにおいて、前記第２の値は、前記ＷＬＡＮ送受信器が、中間のＡＭＰ容量を有することを示している、および
前記新しいチャネルを介してＡＭＰリンクを確立することと
をさらに備える、Ｃ１１に記載の方法。
［Ｃ１５］
前記ＡＭＰ＿Ｓｔａｔｕｓ＿Ｃｈａｎｇｅメッセージは第３の値を有し、ここにおいて、前記第３の値は、前記ＷＬＡＮ送受信器が高いＡＭＰ容量を有することを示しており、またここにおいて、前記ＡＭＰを動作させることは、ＡＭＰリンクを確立することを備える、Ｃ１０に記載の方法。
［Ｃ１６］
前記ＡＭＰ＿Ｓｔａｔｕｓ＿Ｃｈａｎｇｅメッセージは第４の値を有し、ここにおいて、前記第４の値は、前記ＷＬＡＮ送受信器が事前に定義されたＡＭＰ容量を有することを示しており、またここにおいて、前記ＡＭＰリンクを動作させることは、前記ＡＭＰリンクを調整することを備える、Ｃ１０に記載の方法。
［Ｃ１７］
Ｂｌｕｅｔｏｏｔｈおよびワイヤレスローカルエリアネットワーク（ＷＬＡＮ）機能を有するワイヤレス通信デバイスを動作させるための非一時的なプロセッサ可読記憶媒体であって、前記プロセッサ可読記憶媒体がその上に命令を有し、前記命令が、
前記デバイスのＷＬＡＮ送受信器の動作ステータスに関する情報を決定するためのコードと、
前記情報を、前記ＷＬＡＮ送受信器のプロトコル適合レイヤ（ＰＡＬ）を介して前記デバイスのＢｌｕｅｔｏｏｔｈホストに報告するためのコードと、
前記情報に基づいて、Ｂｌｕｅｔｏｏｔｈ代替媒体アクセス制御／物理レイヤ（ＡＭＰ）リンクを動作させるためのコードと
を備える、非一時的なプロセッサ可読記憶媒体。
［Ｃ１８］
前記情報は、前記Ｂｌｕｅｔｏｏｔｈホストに送られるＡＭＰ＿Ｓｔａｔｕｓ＿Ｃｈａｎｇｅメッセージを備える、Ｃ１７に記載の記憶媒体。
［Ｃ１９］
前記ＡＭＰ＿Ｓｔａｔｕｓ＿Ｃｈａｎｇｅメッセージは第１の値を有し、ここにおいて、前記第１の値は、前記ＷＬＡＮ送受信器がＡＭＰ容量を有しないことを示しており、またここにおいて、前記ＡＭＰリンクを動作させるための前記コードは、前記ＡＭＰリンクの接続を解除するためのコードを備える、Ｃ１８に記載の記憶媒体。
［Ｃ２０］
前記ＡＭＰリンクの接続が解除された後、Ｂｌｕｅｔｏｏｔｈトラフィックを前記デバイスのＢｌｕｅｔｏｏｔｈ送受信器に経路指定するためのコードをさらに備える、Ｃ１９に記載の記憶媒体。
［Ｃ２１］
前記ＡＭＰ＿Ｓｔａｔｕｓ＿Ｃｈａｎｇｅメッセージは第２の値を有し、ここにおいて、前記第２の値は、前記ＷＬＡＮ送受信器が中間のＡＭＰ容量を有することを示しており、またここにおいて、前記ＡＭＰリンクを動作させるための前記コードは、前記ＷＬＡＮ送受信器により使用されているチャネルを介して前記ＡＭＰリンクを確立するためのコードを備える、Ｃ１８に記載の記憶媒体。
［Ｃ２２］
前記第１の値を有する前記第１のＡＭＰ＿Ｓｔａｔｕｓ＿Ｃｈａｎｇｅメッセージは、前記ＷＬＡＮ送受信器に対して間もなく生ずるチャネル切換えに基づいて報告され、
前記ＷＬＡＮ送受信器が新しいチャネルに切り換わったとき、第２の値を有する第２のＡＭＰ＿Ｓｔａｔｕｓ＿Ｃｈａｎｇｅメッセージを報告するためのコードと、ここにおいて、前記第２の値は、前記ＷＬＡＮ送受信器が、中間のＡＭＰ容量を有することを示し、
前記新しいチャネルを介してＡＭＰリンクを確立するためのコードと
をさらに備える、Ｃ１９に記載の記憶媒体。
［Ｃ２３］
前記ＡＭＰ＿Ｓｔａｔｕｓ＿Ｃｈａｎｇｅメッセージは第３の値を有し、ここにおいて、前記第３の値は、前記ＷＬＡＮ送受信器が高いＡＭＰ容量を有することを示しており、またここにおいて、前記ＡＭＰを動作させるための前記コードは、ＡＭＰリンクを確立するためのコードを備える、Ｃ１８に記載の記憶媒体。
［Ｃ２４］
前記ＡＭＰ＿Ｓｔａｔｕｓ＿Ｃｈａｎｇｅメッセージが第４の値を有し、ここにおいて、前記第４の値は、前記ＷＬＡＮ送受信器が事前に定義されたＡＭＰ容量を有することを示しており、またここにおいて、前記ＡＭＰリンクを動作させるための前記コードが、前記ＡＭＰリンクを調整するためのコードを備える、Ｃ１８に記載の記憶媒体。
［Ｃ２５］
ワイヤレス通信デバイスであって、
Ｂｌｕｅｔｏｏｔｈ送受信器と、
Ｂｌｕｅｔｏｏｔｈ代替媒体アクセス制御／物理レイヤ（ＡＭＰ）リンクをサポートするためのプロトコル適合レイヤ（ＰＡＬ）を含むワイヤレスローカルエリアネットワーク（ＷＬＡＮ）送受信器と、
前記ＰＡＬを介して前記ＷＬＡＮ送受信器と通信する、ＡＭＰリンクを動作させるための手段と、
前記ＷＬＡＮ送受信器のＷＬＡＮ動作ステータスに関する情報を、前記ＡＭＰリンクを動作させるための前記手段に報告するための手段とを備え、
ここにおいて、前記ＡＭＰリンクを動作させるための前記手段は、前記動作ステータス情報に基づいて前記ＡＭＰリンクを動作させる、
ワイヤレス通信デバイス。
［Ｃ２６］
前記動作ステータス情報は、情報を報告するための前記手段により前記ＡＭＰリンクを動作させるための前記手段に送られるＡＭＰ＿Ｓｔａｔｕｓ＿Ｃｈａｎｇｅメッセージを備える、Ｃ２５に記載のデバイス。
［Ｃ２７］
前記ＡＭＰ＿Ｓｔａｔｕｓ＿Ｃｈａｎｇｅメッセージは、前記ＷＬＡＮ送受信器がＡＭＰ容量を有していないことを示す第１の値を有しており、ここにおいて、前記ＡＭＰリンクを動作させるための前記手段は、前記ＡＭＰ＿Ｓｔａｔｕｓ＿Ｃｈａｎｇｅメッセージを受信すると、前記ＡＭＰリンクの接続を解除する、Ｃ２６に記載のデバイス。
［Ｃ２８］
前記ＡＭＰリンクを動作させるための前記手段が、前記ＡＭＰリンクの接続が解除された後、Ｂｌｕｅｔｏｏｔｈトラフィックを前記Ｂｌｕｅｔｏｏｔｈ送受信器にさらに経路指定する、Ｃ２７に記載のデバイス。
［Ｃ２９］
前記ＡＭＰ＿Ｓｔａｔｕｓ＿Ｃｈａｎｇｅメッセージは、前記ＷＬＡＮ送受信器が中間のＡＭＰ容量を有することを示す第２の値を有しており、ここにおいて、前記ＡＭＰリンクを動作させるための前記手段は、前記ＡＭＰ＿Ｓｔａｔｕｓ＿Ｃｈａｎｇｅメッセージを受信すると、前記ＷＬＡＮ送受信器により使用されているチャネルを介して前記ＡＭＰリンクを確立する、Ｃ２６に記載のデバイス。
［Ｃ３０］
情報を報告するための前記手段がさらに、
前記ＷＬＡＮ送受信器に対して間もなく生ずるチャネル切換えに基づき、前記第１の値を有する第１のＡＭＰ＿Ｓｔａｔｕｓ＿Ｃｈａｎｇｅメッセージを送り、また
前記ＷＬＡＮ送受信器が新しいチャネルに切り換わったとき、第２の値を有する第２のＡＭＰ＿Ｓｔａｔｕｓ＿Ｃｈａｎｇｅメッセージを送り、前記第２の値は、前記ＷＬＡＮ送受信器が中間のＡＭＰ容量を有することを示しており、また
前記ＡＭＰリンクを動作させるための前記手段は、前記第２のＡＭＰ＿Ｓｔａｔｕｓ＿Ｃｈａｎｇｅメッセージを受信すると、前記新しいチャネルを介してＡＭＰリンクを確立する、Ｃ２７に記載のデバイス。
［Ｃ３１］
前記ＡＭＰ＿Ｓｔａｔｕｓ＿Ｃｈａｎｇｅメッセージは、前記ＷＬＡＮ送受信器が高いＡＭＰ容量を有することを示す第３の値を有しており、ここにおいて、前記ＡＭＰリンクを動作させるための前記手段が、前記ＡＭＰ＿Ｓｔａｔｕｓ＿Ｃｈａｎｇｅメッセージを受信すると、前記ＡＭＰリンクを確立する、Ｃ２６に記載のデバイス。
［Ｃ３２］
前記ＡＭＰ＿Ｓｔａｔｕｓ＿Ｃｈａｎｇｅメッセージは、前記ＷＬＡＮ送受信器が事前に定義されたＡＭＰ容量を有することを示す第４の値を有しており、ここにおいて、前記前記ＡＭＰリンクを動作させるための前記手段は、前記ＡＭＰ＿Ｓｔａｔｕｓ＿Ｃｈａｎｇｅメッセージを受信すると、前記ＡＭＰリンクを調整する、Ｃ２６に記載のデバイス。
【要約】  ＷＬＡＮ送受信器の動作ステータスに基づいてＡＭＰ接続を管理するために、ＷＬＡＮおよびＢｌｕｅｔｏｏｔｈ（登録商標）システムの動作を調整するためのシステムおよび方法が開示される。【図１】
0005912009.tif 000003
【図２】
0005912009.tif 000004
【図３】
0005912009.tif 000005
【図４】
0005912009.tif 000006
【図５】
0005912009.tif 000007
【図６】
0005912009.tif 000008